(57)【要約】【課題】動物性生餌を模した形状の釣り用人工餌を製造できる容器を提供する。【解決手段】上部成形部材１ａと下部成形部材１ｂは、薄肉の合成樹脂で作製されており、内側同士が密着するものである。長方形状の上部成形部材１ａには内側から外側に向けた凹状の溝２ａが形成され、下部成形部材１ｂには、溝２ａの開口を覆うように対面部２ｂとして浅い溝が形成されている。両部材が密着したとき、成形空間２が形成される。この成形空間２で餌が成形されるが、成形される餌の形状は、動物性生餌を模した形状である。成形空間２の一辺側は注入口３となり、他辺側は排気孔４となっている。流動性を有する釣り餌素材を注入し、固化させることによって釣り用人工餌を成形することができる。【選択図】図１
2011234667.tif 000002
【特許請求の範囲】
【請求項１】
薄肉の合成樹脂材料で形成された上部成形部材と下部成形部材よりなり、前記上部成形部材の内面と前記下部成形部材の内面とが対向可能であり、
前記上部成形部材と前記下部成形部材には、両成形部材が対向したときに当該成形部材を横切るように成形空間を形成する複数列の成形領域と、前記成形領域の間および複数列の成形領域の並び方向の最外側の成形領域の外側にあって両成形部材の内側が密着するように形成された密着領域とを有しており、
前記上部成形部材の成形領域は、それぞれ、凹状の溝および／または下部成形部材に形成された凹状の溝の開口を覆う対面部により構成され、
前記下部成形部材の成形領域は、それぞれ、前記上部成形部材の成形領域の凹状の溝および／または対面部に対応して、前記上部成形部材に形成された凹状の溝の開口を覆う対面部および／または前記上部成形部材に形成された対面部によってその開口部が覆われる凹状の溝により構成されており、
前記凹状の溝と前記対面部とは、前記上部成形部材と前記下部成形部材との密着領域が密着したときに、少なくとも１つの動物性生餌を模した形状の成形空間が形成される形状であり、
かつ、前記成形空間に連通する注入口を形成する凹状の溝が上部成形部材と下部成形部材の少なくとも一方に形成されていることを特徴とする魚の好む摂餌成分を含む人工餌を成形するための釣り用人工餌のための容器。
【請求項２】
前記対面部の少なくとも一部は、凹状の溝であることを特徴とする請求項１に記載の釣り用人工餌のための容器。
【請求項３】
前記対面部の少なくとも一部は平坦な形状であることを特徴とする請求項１に記載の釣り用人工餌のための容器。
【請求項４】
前記上部成形部材と前記下部成形部材とが、折り曲げ可能に一体化されていることを特徴とする請求項１ないし３のいずれか１項に記載の釣り用人工餌のための容器。
【請求項５】
前記上部成形部材と前記下部成形部材とが、別体であることを特徴とする請求項１ないし３のいずれか１項に記載の釣り用人工餌のための容器。
【請求項６】
前記上部成形部材と前記下部成形部材の前記密着領に、位置決めのための凹凸形状の当接部を設けたことを特徴とする請求項１ないし５のいずれか１項に記載の釣り用人工餌のための容器。
【請求項７】
前記溝の両側と前記密着領域との間に間隙部が設けられていることを特徴とする請求項１ないし６のいずれか１項に記載の釣り用人工餌のための容器。
【請求項８】
前記凹状の溝が、前記動物性生餌を模した形状の空間が複数のくびれが連続して存在する環形動物を模した空間となるような溝であることを特徴とする請求項１ないし７のいずれか１項に記載の釣り用人工餌の容器。
【請求項９】
前記上部成形部材と前記下部成形部材の前記密着領域における密着性を高めるための密着手段を設けたことを特徴とする請求項１ないし８のいずれか１項に記載の釣り用人工餌の容器。
【請求項１０】
前記密着手段が、前記密着領域の一部を溶着または接着するものであることを特徴とする請求項９に記載の釣り用人工餌の容器。
【請求項１１】
前記密着手段が、前記上部成形部材と前記下部成形部材の前記密着領域の一部を上下から挟む留め具であることを特徴とする請求項９に記載の釣り用人工餌の容器。
【請求項１２】
前記密着手段が、密着された前記上部成形部材と前記下部成形部材とを包囲する熱収縮性樹脂であることを特徴とする請求項９に記載の釣り用人工餌の容器。
【請求項１３】
請求項１ないし１２のいずれか１項に記載の釣り用人工餌の容器の前記成形空間に魚の好む摂餌成分を含む物質が成形されて収容されていることを特徴とする釣り用人工餌。
【請求項１４】
前記上部成型部材と前記下部成形部材を出し入れ可能に収納可能であり、かつ、前記密着領域および縁部の厚みに対応する隙間を有する上下の押圧部材を内蔵した収納容器と、請求項１ないし８のいずれか１項に記載の釣り用人工餌の容器との組合せ。
【発明の詳細な説明】
【技術分野】
【０００１】
本発明は、魚の好む摂餌成分を含む流動性物質により釣り用人工餌を成形し、かつ、成形された成形体を保護するための容器、および、その容器の成形空間に魚の好む摂餌成分を含む物質が成形されている釣り用人工餌、ならびに、釣り用人工餌の容器と収納容器との組合せに関するものである。
【背景技術】
【０００２】
魚釣りに用いられる釣り餌には、生きた動物を用いる生餌や、魚介類の切り身など、通常、魚が餌としているものに近い天然の動物性の餌を用いるものや、これらに疑似した毛針やルアーなどの疑似餌を用いるものもある。天然の餌と疑似餌との中間の餌として、天然の餌に似た匂い、食感、や形状など適宜の要素を組み合わせた人工の餌（以下、「釣り用人工餌」という。）がある。この釣り用人工餌としては、ヘラ鮒釣りに用いられる練り餌が古くから知られており、最近では、天然又は合成高分子等のゲル化物の中に摂餌材料を混入したものが用いられるようになっている。
【０００３】
釣り用人工餌は、なんらかの成形を施さなければ形状は保てない。練り餌の場合であれば、釣り針に装着する際に指で適当な大きさや形に加工することが容易であるが、多くの材料は、金型で成形したり、円柱状に押し成形するか、加圧成形した後カルシウム溶液に浸漬して固化する（特許文献１）などの加工を施して形状を保つようにしている。
【０００４】
ルアーのような付加価値が高く、また素材である樹脂が丈夫で形状を保ちやすいものであれば、金型による成形は好ましいが、融点の低いゲルやゲル化に時間を要する素材を金型で成形しようとすると成形サイクルが長くなるためコストが嵩んでしまう。そのため、従来は流動性のある釣り餌素材に立体的な形状を付与させようとした場合は、片面トレーやチューブ、あるいはストローに充填されていたのが一般的であった。しかし、このような成形方法で得た釣り用人工餌は、単純な形状のものに限られており、複雑な形状にした場合、動物性生餌を模した形状ものを得ることは困難であった。
【先行技術文献】
【特許文献】
【０００５】
【特許文献１】特開平６−１６５６４７号公報
【発明の概要】
【発明が解決しようとする課題】
【０００６】
本発明は、上述した事情に鑑みてなされたもので、魚の好む摂餌成分を含む流動性物質を成形し、保護するための容器を提供するもので、動物性生餌を模した形状の釣り用人工餌を、容易に成形することができるとともに、携帯や取扱に適した釣り用人工餌、ならびに、釣り用人工餌と収納容器との組合せを提供することを目的とするものである。
【課題を解決するための手段】
【０００７】
本発明は、魚の好む摂餌成分を含む人工餌を成形するための釣り用人工餌のための容器において、薄肉の合成樹脂材料で形成された上部成形部材と下部成形部材よりなり、前記上部成形部材の内面と前記下部成形部材の内面とが対向可能であり、前記上部成形部材と前記下部成形部材には、両成形部材が対向したときに当該成形部材を横切るように成形空間を形成する複数列の成形領域と、前記成形領域の間および複数列の成形領域の並び方向の最外側の成形領域の外側にあって両成形部材の内側が密着するように形成された密着領域とを有しており、前記上部成形部材の成形領域は、それぞれ、凹状の溝および／または下部成形部材に形成された凹状の溝の開口を覆う対面部により構成され、前記下部成形部材の成形領域は、それぞれ、前記上部成形部材の成形領域の凹状の溝および／または対面部に対応して、前記上部成形部材に形成された凹状の溝の開口を覆う対面部および／または前記上部成形部材に形成された対面部によってその開口部が覆われる凹状の溝により構成されており、前記凹状の溝と前記対面部とは、前記上部成形部材と前記下部成形部材との密着領域が密着したときに、少なくとも１つの動物性生餌を模した形状の成形空間が形成される形状であり、かつ、前記成形空間に連通する注入口を形成する凹状の溝が上部成形部材と下部成形部材の少なくとも一方に形成されていることを特徴とするものである。
【０００８】
また、本発明は、釣り用人工餌において、前記釣り用人工餌の容器の前記成形空間に魚の好む摂餌成分を含む物質が成形されて収容されていることを特徴とするものである。
【０００９】
また、本発明は、前記上部成型部材と前記下部成形部材を出し入れ可能に収納可能であり、かつ、前記密着領域および縁部の厚みに対応する隙間を有する上下の押圧部材を内蔵した収納容器と、前記釣り用人工餌の容器との組合せを特徴とするものである。
【発明の効果】
【００１０】
本発明の釣り用人工餌の製造容器によれば、魚の好む摂餌成分を含む流動性物質である釣り餌素材を注入して成形すれば、簡単に立体構造を付与することができ、さらに、成型物を保護することができるので、加工温度が低い物質やゲルが柔らかく壊れやすい物質にも一定の形状を付与することが可能となり、携帯や取扱も容易である。また、成形したまま容器ごと、釣り用人工餌の製品として取り扱うことができるので、保存や取扱に適するとともに、ユーザーは、成形された釣り用人工餌を取り出して使用した後の容器は、注入口が設けられているため、自分で餌素材を注入して成形することもできるので、使用後の製造容器を捨てることが防止でき、環境汚染に対しても有効な容器である。釣り餌素材は、ユーザーが自分で調合したり、好みの成分を加えることも可能であるので、ユーザーが好みの調合をした釣り用人工餌を用いて釣りを楽しむことができる。
【図面の簡単な説明】
【００１１】
【図１】本発明の釣り用人工餌の容器の一実施例の説明図である。
【図２】密着手段の第１の実施例の説明図である。
【図３】密着手段の第２の実施例の説明図である。
【図４】密着手段の第３の実施例の説明図である。
【図５】密着手段の第４の実施例の説明図である。
【図６】密着手段の第５の実施例の説明図である。
【図７】密着手段の第６の実施例の説明図である。
【図８】成形空間の具体例の説明図である。
【図９】図１で説明した成形空間の１つを拡大して説明するための断面図である。
【図１０】成形空間の第２の実施例における成形空間の１つを拡大して説明するための断面図である。
【図１１】成形空間の第３の実施例における成形空間の１つを拡大して説明するための断面図である。
【図１２】成形空間の第４の実施例における成形空間の１つを拡大して説明するための断面図である。
【図１３】当接部を設けた容器の説明図である。
【図１４】注入器の具体例の説明図である。
【発明を実施するための形態】
【００１２】
図１は、本発明の釣り用人工餌の容器の一実施例を説明するためのもので、図１（Ａ）は平面図、図１（Ｂ）は図１（Ａ）のＡ−Ａ線断面図、図１（Ｃ）は図１（Ｂ）において上部成形部材と下部成形部材を分離した状態の断面図である。図中、１は容器、１ａは上部成形部材、１ｂは下部成形部材、２は成形空間、２ａは溝、２ｂは対面部、２ｃは連結部、３は注入口、４は排気孔、５，５ａ，５ｂは密着領域である。なお、図１（Ａ）においては、上部成形部材１ａと下部成形部材１ｂとが透明な材料で形成されていることにより、成形空間２においては、実際は環状のひだが濃淡状に見えるものであるが、図を見やすくするために、周囲の断面形状を図示した。
【００１３】
上部成形部材１ａと下部成形部材１ｂは、ＰＰ（ポリプロピレン）、ＰＥＴ（ポリエチレンテレフタレート）、ＰＶＣ（ポリビニールクロライド）、ＡＳ（アクリロニトリル）、ＡＢＳ（アクリルニトリルブタジエンスチレン共重合体）、ＥＶＡ（エチレン酢酸ビニル共重合体）、ＰＳ（ポリスチレン）等の薄肉の熱可塑性樹脂で作製されており、内側の平面部分同士が密着できるものである。真空成形や射出成形等で作製され、低価格で作製できる。材質は、無色透明、または、着色透明として、外部から目視可能なものが好ましい。厚みは、０．１ｍｍより薄いとシート自体の強度が少なく材料を充填する際変形が生じてしまい、４ｍｍより厚いとシート自体の細部への加工が難しくなりコストも嵩むことから、０．１〜４ｍｍ程度が好ましい。
【００１４】
長方形状の上部成形部材１ａには、一辺側から他辺側に向けて成形部材を横切るように、内側から外側に向けた凹状の溝２ａが複数列（図１では３列）形成されている。溝の数は、２列以上の複数列である。上部成形部材１ａにおいて、隣り合う溝２ａの間、および、複数列の溝２ａの並び方向における最外側の溝２ａの外側の内面は、それぞれ平面状の領域である。溝２ａが形成された領域は、下部成形部材１ｂによって覆われることによって成形空間が形成される。したがって、溝２ａが形成された領域は、上部成形部材１における成形領域であり、上記平面状の領域は、密着領域５ａである。
【００１５】
上部成形部材１ａに向かい合うように形成された同形状の下部成形部材１ｂには、上部成形部材１ａの溝２ａに対応した領域に、溝２ａを覆うことができる対面部２ｂが形成されている。この実施例では、内側から外側に向けた凹状の溝が対面部２ｂとして形成されている。凹状の対面部２ｂの溝は、上部成形部材１ａの凹状の溝２ａよりは浅い溝である。また、溝２ａは、複数のくびれが連続して存在する環形動物を模した空間となるような溝である。対面部２ｂの溝にはくびれを設けなくてもよいが、設ける場合は、浅いくびれとするのがよい。
【００１６】
上部成形部材１ａと下部成形部材１ｂが密着したとき、溝２ａの開口部分が対面部２ｂの溝に覆われることによって成形空間２が形成される。したがって、下部成形部材１ｂにおいては、対面部２ｂとしての溝が形成された領域が成形領域であり、隣り合う成形領域の間、および、成形領域の並び方向における最外側の成形領域の外側の内面は、それぞれ平面状の領域であり、密着領域５ｂとなっている。上部成形部材１ａと下部成形部材１ｂとの内面同士が密着領域において密着して成形領域の溝と対面部とによって人工餌となる流動体を注入できる空間が形成される。成形空間２は餌を成形するための空間である。成形される餌の形状は、魚への視認性を高め、また、商品価値を向上させるために、動物性生餌を模した形状であるが、厳密な形状を必要とするものではない。成形空間２は、少なくとも１つの動物性生餌を模した形状の空間部分が設けられるように溝２ａと対面部２ｂが形成されている。１列中に複数設けられる場合には、異なる形状のものが混在してもよい。この実施例では、各成形空間において、連結部２ｃで連結された２つの環形動物を模した人工餌を成形することができる。連結部２ｃは浅い溝で形成し、切れやすくするのがよい。成形空間２の長手方向の延長上にその一端部に連通するように注入口３が形成されており、同様に、他端側に連通するように排気孔４が形成されている。
【００１７】
注入口３は、上部成形部材１ａにおいては、半円錐状の溝であり、これを覆う下部成形部材１ｂの対面部も同じ形状の溝として形成され、漏斗状の空間である。注入口３は、注入の際に結合される注入ノズル等の形状に対応する形状とするのが好適であるから、円形の開口や半円形の開口など、適宜の形状を採用できるから、注入口３を形成する凹状の溝は、上部成形部材１ａと下部成形部材１ｂの少なくとも一方に形成され、成形空間２に連通される形状である。
【００１８】
排気孔４は、この実施例では円形の孔としたから、上部成形部材１ａと下部成形部材１ｂにおいて、それぞれ半円柱状の溝として溝と対面部が形成されている。排気孔４は、流動体を注入する際の排気の役目を果たすものである。成形空間２は、上部成形部材１ａと下部成形部材１ｂとが密着されて形成される空間であり、密着状態は完全に密着することを要求されるものではないから、密着領域の多少の隙間からの排出も可能であり、したがって、排気孔４は必ずしも上部成形部材１ａと下部成形部材１ｂの少なくとも一方に形成した溝による必要もなく、これを設けることを省略してもよい。また、成形空間を形成する凹状の溝または対面部の一部に外部に連通する孔を開けてこれを排気孔としてもよい。もちろん、本実施例のように排気孔４を設ける場合の形状は、上述した形状に限られるものではなく、適宜の形状を採用できる。
【００１９】
上述した実施例では、上部成形部材１ａと下部成形部材１ｂとを別部材として形成したが、両部材を一体化して、図１（Ａ）の一辺で折り曲げて上部成形部材１ａと下部成形部材１ｂとが密着できるようにしてもよい。折り曲げる辺は、この実施例では、成形領域と平行する辺とするのがよい。すなわち、上部成形部材１ａと下部成形部材１ｂとが１辺で折り曲げ可能に結合されているから、本を開くように結合されている上部成形部材１ａと下部成形部材１ｂとを本を閉じるように結合部を折り曲げることで、上部成形部材１ａと下部成形部材１ｂの密着領域を密着できる。
【００２０】
上部成形部材１ａと下部成形部材１ｂとが、別体で構成されている場合と、折り曲げ可能に一体化されている場合のいずれにおいても、上部成形部材１ａと下部成形部材１ｂを密着させて成形を行うときには、魚の好む摂餌成分を含み、固化させることが可能な流動性物質を、成形領域に注入するのであるが、多少の注入圧がかかるから、上部成形部材１ａと下部成形部材１ｂとを単に対向させて合わせただけでは、注入圧によって上部成形部材１ａと下部成形部材１ｂとが離されてしまう。上部成形部材１ａと下部成形部材１ｂとのそれぞれの外側の表面に密着する凹状部を有するブロックあるいは治具を用意し、この２つのブロックによって上部成形部材１ａと下部成形部材１ｂが密着された容器を上下から挟んで注入を行えば、注入圧によって上部成形部材１ａと下部成形部材１ｂとが離れてしまうことはない。このようなブロックを用いることなく、簡便に上部成形部材１ａと下部成形部材１ｂの密着領域の密着性を高めるように上部成形部材１ａと下部成形部材１ｂとの密着性を高めるための密着手段を設けることは望ましいことである。
【００２１】
図２は、密着手段の第１の実施例を説明するための説明図である。図中、１は容器、２は成形領域、６は接着部である。容器１は、上述したように、上部成形部材と下部成形部材が密着して成形空間が形成され、人工餌を成形できる容器であり、図１で説明した容器と同様である。この実施例では、上部成形部材と下部成形部材の密着領域、すなわち、３列の成形領域の間の２つの密着領域、および、３列の成形領域の並び方向の最外側の２つの密着領域の４個所の密着領域において、各密着領域の一部を接着剤によって接着したものである。接着剤による接着部６は、帯状の領域に塗布されているが、点状の領域に接着剤が塗布されてもよい。点状の領域の面積は、適宜でよく、塗布パターンも適宜でよい。４個所の密着領域のすべての密着領域でなく、一部の密着領域において接着剤によって接着するようにしてもよい。
【００２２】
図３は、密着手段の第２の実施例を説明するための説明図である。図２と同様の部分には同じ符号を付して説明を省略する。７は溶着部である。この実施例では、上部成形部材と下部成形部材の密着領域の一部を熱や超音波等によって溶着したものである。溶着部７の領域は、点状であるが、帯状の領域に溶着を行っても、断続的な領域に溶着を行ってもよい。この例においても、すべての密着領域でなく、一部の密着領域においてのみ溶着をするようにしてもよい。
【００２３】
図４は、密着手段の第３の実施例を説明するための説明図であり、図４（Ａ）は平面図、図４（Ｂ）は図４（Ａ）のＢ−Ｂ線断面図である。図中、図１，図２と同様の部分には同じ符号を付して説明を省略する。８はシュリンク包装であるが、シュリンク包装は外周のみを１点鎖線で図示した。この実施例では、密着させた上部成形部材と下部成形部材のほぼ全体を底がぬけた袋状の熱収縮性樹脂でゆるく包囲した後、加熱して熱収縮性樹脂を収縮させてきつく包囲するようにしたものである。なお、袋の底があっても、注入口や排気孔の開口部に通じる孔があれば同様に利用できるので、必ずしも筒状の形状でなければならないというものではない。また、図では１つのシュリンク包装体が用いられているが、複数に分割されたものでもよく、分割されたものである場合には、相互間に間隔を設けてもよい。
【００２４】
図５は、密着手段の第４の実施例を説明するための説明図であり、図５（Ａ）は平面図、図５（Ｂ）は図５（Ａ）のＢ−Ｂ線断面図である。図中、図１，図２と同様の部分には同じ符号を付して説明を省略する。９はゴムバンドである。この実施例では、留め具としてゴムバンドを用いて、上部成形部材１ａと下部成形部材１ｂのそれぞれの密着領域を締め付けたものである。ゴムバンド９は、３列の成形領域の間の２つの密着領域、および、３列の成形領域の並び方向の最外側の２つの密着領域の４個所の密着領域に取り付けたが、一部の密着領域に取り付けてもよい。各密着領域の幅に対するゴムバンドの幅は適宜でよく、密着領域の幅に対して、ゴムバンドの幅は同等でもよく、密着領域の幅よりも狭くして密着領域の一部を締め付けてもよい。ゴムバンドの材料は、天然ゴムでも合成ゴムでもよく、弾性を有する材料であればよい。なお、上部成形部材１ａと下部成形部材１ｂのそれぞれの密着領域の締め付けには、必ずしも弾性を必要とするものではない。弾性を有しない糸や紐、あるいは、テープを用いて上部成形部材と下部成形部材のそれぞれの密着領域を縛るようにして締め付けてもよい。
【００２５】
図６は、密着手段の第５の実施例を説明するための説明図であり、図６（Ａ）は平面図、図６（Ｂ）は図６（Ａ）のＢ−Ｂ線断面図、図６（Ｃ）はクリップの斜視図である。図中、図１，図２と同様の部分には同じ符号を付して説明を省略する。１０はクリップである。この実施例では、留め具としてクリップを用いて、上部成形部材１ａと下部成形部材１ｂのそれぞれの密着領域を締め付けたものである。クリップ１０は、２枚の押圧片１０ａ，１０ｂを支軸１０ｃで連結し、図示しないバネで内向きに付勢力が付与され、摘み片１０ｄ，１０ｅをバネに抗して内側に押圧して押圧片１０ａ，１０ｂを開けて密着領域を挟むようにして、押圧片１０ａ，１０ｂの押圧を解除して密着領域を締め付けるようにしたものである。各密着領域の幅に対するクリップの押圧片１０ａ，１０ｂの幅は適宜でよく、密着領域の幅に対して、同等の幅でもよく、あるいは、密着領域の幅よりも狭くして密着領域の一部を締め付けてもよい。また、ヘアーピンのように１本の線状体、あるいは、１枚の板状体を折り曲げて、折り曲げ部の弾性で締め付けるようにしたクリップを用いてもよい。この例においても、すべての密着領域でなく、一部の密着領域においてのみクリップを用いるようにしてもよい。
【００２６】
図７は、密着手段の第６の実施例を説明するための説明図であり、図７（Ａ）は収納容器の斜視図、図７（Ｂ）は収納容器に容器を挿入した状態の透視図、図７（Ｃ）は容器を挿入した収納容器を正面に平行な平面で切った断面図である。なお、図７（Ａ）においては、上部壁と下部壁が外部から見えない部分は、手前の１つのみを破線で図示した。また、図７（Ｂ）において、容器１の収納容器に隠れる部分は細線で図示し、押圧片の位置はハッチングで図示した。図１，図２と同様の部分には同じ符号を付して説明を省略する。１１は収納容器、１１ａは上部壁、１１ｂは下部壁、１１ｃ，１１ｄは側壁、１１ｅは正面、１１ｆは背面、１１ｇは上部押圧片、１１ｈは下部押圧片である。この箱形の収納容器は、上部成形部材と下部成形部材を密着させた容器を収納することで、密着領域の一部が上部壁１１ａと下部壁１１ｂで挟まれ、上部成形部材と下部成形部材の密着性を高めることができる収納容器である。
【００２７】
この実施例では、容器として長方形状の上部成形部材と下部成形部材を用いたから、収納容器は、直方体形状である。上部壁１１ａには、下方に向けて上部押圧片１１ｇが設けられ、下部壁１１ｂには下部押圧片１１ｈが設けられている。上部押圧片１１ｇと下部押圧片１１ｈは、上部押圧片１１ｇの下端と下部押圧片１１ｈの上端によって、正面１１ｅ側から背面１１ｆ側に延びる隙間を形成するように設けられ、隙間の間隔は、上部成形部材と下部成形部材の密着された容器の密着領域を密着状態が維持できるように挟むことができる間隔である。また、向かい合う上部押圧片１１ｇと下部押圧片１１ｈの並び方向の間隔は、挿入される容器の密着領域同士の間隔となっている。正面１１ｅは、容器が挿入できる開口（図では正面全面が開口となっているが、後述するように、容器が横に挿入できる開口であればよい。）が設けられている。背面１１ｆには、少なくとも、挿入された容器の排気孔が露出できる開口が設けられている。この例においても、すべての密着領域に対応して押圧片を設けることなく、一部の密着領域に対応した押圧片を設けたものでもよい。
【００２８】
収納容器１１の使用方法は、容器と組み合わせて用い、容器の密着領域が上部押圧片１１ｇと下部押圧片１１ｈの隙間に挟まれるようにして、容器を正面１１ｅ側から押し込むように奥まで挿入する。容器は、上部成形部材１ａと下部成形部材１ｂの密着領域が上下から挟まれる。この状態で、各注入口３から人工餌となる流動体を注入し、固化することによって人工餌が成形できる。固化に当たっては、収納容器に収納したままの状態で固化を行っても、収納容器から取り出した容器の状態で固化を行っても、いずれでもよい。
【００２９】
上部成形部材と下部成形部材を密着させた容器を上部押圧片と下部押圧片に挿入して人工餌を挿入する際、一定の圧力を維持する必要があるため、それぞれの押圧片を固定しやすいよう側壁１１ｃ，１１ｄの接合部分にずれないための加工を施してもよいし、ネジ等で固定してもよい。
【００３０】
上述した密着手段の実施例において、図２，図３で説明した第１および第２の実施例では、密着部を強固に密着させることができるが、成形後に、成形された人工餌を取り出すときには、接着部や溶着部を破断して取り出す。したがって、容器の再利用は、破断の状態によっては困難である。これに対して、図４〜図７で説明した第３〜第６の実施例では、容器から成形体を取り出すときに、容器を破断させることがないから、容易を再利用することが可能である。
【００３１】
図１で説明した実施例では、上部成形部材１ａの溝２ａと下部成形部材１ｂの対面部２ｂによって形成される空間において動物性生餌を模した形状を環形動物としたが、本発明は、環形動物に限られるものではない。
【００３２】
図８に他の形状の具体例を示す。図８（Ａ）は、小魚を模した形状である。１２ａは小魚部分、１２ｂは連結部分である。図は平面形状を図示したが、断面形状は、小魚に相応したものとするのがよい。この製造容器で成形されたものは、連結部分１２ｂで切り離し、小魚部分１２ａを釣り針に付けて使用する。
【００３３】
図８（Ｂ）は、小海老を模した形状である。１３ａは小海老部分、１３ｂは連結部分、１３ｃはひげ部分である。図は平面形状を図示したが、断面形状は、小海老に相応したものとするのがよい。ひげ部分１３ｃは、はさみの部分に魚の好む摂餌成分を含む流動性物質を注入する際に、空気を連結部分１３ｂに逃がす役割を果たすとともに、ひげをも成形して、疑似効果を向上できるが、流動性物質の粘度によっては、ひげの成形が十分にできない場合があるが、ひげは必ずしも不可欠としないから、成形できなくとも差し支えはない。この製造容器で成形されたものは、連結部分１３ｂで切り離し、小海老部分１３ａを釣り針に付けて使用する。この形状のものは、注入は、図の下方から上方へ向かう方向に充填すると、はさみの部分までスムーズに充填できる。
【００３４】
図８（Ｃ）は、魚卵、この例では、イクラを模した形状である。１４ａはイクラ部分、１４ｂは連結部分である。イクラ部分１４ａは、対面部を平坦にした場合は、ほぼ半球形であるが、対面部を半球状の溝とすれば球状になる。この製造容器で成形されたものは、連結部分１４ｂで切り離し、イクラ部分１４ａを釣り針に付けて使用する。
【００３５】
このように、本発明は、適宜の形状を採用することができる。したがって、本発明でいう動物性生餌を模した形状とは、通常、生きている動物性の生餌（なまえさ）の形状、例えば、小魚、虫、幼虫、環形動物等を模した形状に限らず、これらの一部分の形状や、卵、さなぎ等の生餌（なまえさ）の形状を含む用語として用いている。
【００３６】
溝と対面部からなる成形空間については、図１で説明した形状に限られるものではない。以下の説明では、図１で説明した環形動物を模した人工餌を成形する成形空間の断面図について説明するが、図８で説明した形状の人工餌や他の形状の人工餌を成形する場合の溝と対面部との関係についても同様に適用できるものであるから、成形空間の溝と対面部との形状についての基本的な考え方を説明するものとして理解できるものである。
【００３７】
図９は、図１で説明した成形空間の１つを拡大して説明するための断面図であり、図９（Ａ）は上部成形部材と下部成形部材と密着させた状態、図９（Ｂ）は図９（Ａ）における上部成形部材と下部成形部材を分離した状態の断面図である。図１と同様の部分には同じ符号を付して説明を省略する。上部成形部材１ａには溝２ａが形成され、下部成形部材１ｂの対面部２ｂは浅い溝として形成されている。
【００３８】
図１０は、成形空間の第２の実施例における成形空間の１つを拡大して説明するための断面図であり、図１０（Ａ）は上部成形部材と下部成形部材と密着させた状態、図１０（Ｂ）は図１０（Ａ）における上部成形部材と下部成形部材を分離した状態の断面図である。図１と同様の部分には同じ符号を付して説明を省略する。上部成形部材１ａには溝２ａが形成され、下部成形部材１ｂの対面部２ｂは平坦な形状である。
【００３９】
図１１は、成形空間の第３の実施例における成形空間の１つを拡大して説明するための断面図であり、図１１（Ａ）は上部成形部材と下部成形部材と密着させた状態、図１１（Ｂ）は図１１（Ａ）における上部成形部材と下部成形部材を分離した状態の断面図である。図１と同様の部分には同じ符号を付して説明を省略する。上部成形部材１ａには溝２ａが形成され、下部成形部材１ｂの対面部２ｂは、溝２ａと同様の形状の溝である。したがって、この実施例では、溝２ａと対面部２ｂとは、対称、または、ほぼ対称な形状である。
【００４０】
図１２は、成形空間の第４の実施例における成形空間の１つを拡大して説明するための断面図であり、図１２（Ａ）は上部成形部材と下部成形部材と密着させた状態、図１２（Ｂ）は図１２（Ａ）における上部成形部材と下部成形部材を分離した状態の断面図である。図１と同様の部分には同じ符号を付して説明を省略する。２ｄは間隙部、この例では鰭状体形成部である。上部成形部材１ａの溝２ａは、両側が傾斜をもって密着領域に繋がっており、下部成形部材１ｂの対面部２ｂの浅い溝の両側も同様に傾斜をもって密着領域に繋がっていることによって、成形空間には鰭状体形成部２ｄを付加することができる。鰭状体形成部２ｄによって、成形体の左右に鰭状体を形成させることができる。鰭状体形成部２ｄは、必ずしも傾斜状である必要はなく、要は、上部成形部材と下部成形部材によって形成される成形空間の両側に間隙を形成すればよく、溝と密着領域との間に間隙部が形成されればよいものであり、溝と対面部との一方だけに鰭状体形成部２ｄを形成するための凹部が設けられてもよい。なお、図１２で説明した第４の実施例における鰭状体を形成するための構造は、第１の実施例の変形例としたものであるが、第２，第３の実施例にも適用できることは明らかである。また、鰭状体の形成は、第１〜第３の実施例において、成形空間に注入する流動性物質の注入圧と密着力との調整によってバリを生じさせるようにしても形成できる。
【００４１】
なお、成形空間についての第１〜第４の実施例では、上部成形部材に溝を形成し、下部成形部材に対面部を形成したが、これとは逆に、上部成形部材に対面部を形成し、下部成形部材に溝を形成してもよく、本明細書における「上部成形部材」と「下部成形部材」とは、格別の区別をもたらすものではなく、いずれを「上部成形部材」としても「下部成形部材」としてもよいものである。さらに、上部成形部材と下部成形部材の一方に溝を、他方に対面部を設けることに限られるものではなく、１つの列内において、上部成形部材に溝と対面部が混在してもよく、これに対応して、下部成形部材に対面部と溝が混在してもよい。
【００４２】
図１で説明した上部成形部材と下部成形部材の外形は長方形状であるが、これに限られるものではなく、楕円形や多角形など、適宜の形状で構わない。上部成形部材と下部成形部材とを折り曲げ可能に一体化する場合も、周りの一部において繋がっていればよい。注入口については、上部成形部材と下部成形部材が合わされて形成された成形空間に外部から流動性物質を注入できる通路が形成すれば足りるものであるから、周縁の一部から成形空間に連通する通路が形成されていればよい。流動性物質の注入をより容易にするためには、注入口と成形空間の一端部とを連通する通路が成形空間の長手方向と同一方向にあるのが好ましく、成形空間の長手方向の延長上に成形空間の一端部に連通するように注入口が設けられるのがよい。排気孔については、適宜でよく、図１のように、成形空間の他端部に連通するように成形空間の長手方向の延長上に排気孔が形成されてもよい。成形空間の長手方向の延長線上に注入口を設けるのは、注入口から成形空間への流動性物質の注入の際の抵抗を小さくするためであるから、流動しやすい流動性物質を用いる場合は抵抗はさほど問題となることはなく、また、注入口から成形領域までの連通路の断面積が大きければ、抵抗はさほど問題とならないから、注入口の位置は諸条件を加味して適宜に設計できるものである。排気孔は、いわゆるエアー抜きであるから、上述したように適宜の形状を採用できるものであり、設けることが必要でない場合もあり、その位置は適宜でよい。
【００４３】
上部成形部材１ａと下部成形部材１ｂとが密着する際の位置決めのために当接部を設けるようにすることもできる。図１３では、略円錐形の当接部を設けたものである。図１３において、図１と同様の部分には同じ符号を付して説明を省略する。１５は当接部、１５ａは凹部、１５ｂは凸部である。当接部１５は、上部成形部材１ａに形成された凹部１５ａと下部成形部材１ｂに形成された凸部１５ｂとで構成され、両者が当接することによって、上部成形部材と下部成形部材を密着させるときに両部材の位置決めをする。当接部の形状や数、位置は適宜である。
【００４４】
本発明の容器に注入する釣り餌素材として、魚の好む摂餌成分を含み、固化させることが可能な流動性物質を用いる。その流動性によって容器に注入することができ、注入後、固化させることによって、動物性生餌を模した形状の釣り餌を作製できる。固化させる方法としては、加熱による方法、加熱冷却による方法、凍結による方法、複数の物質の反応（重合あるいは架橋も含む）による方法、等がある。
【００４５】
加熱により固化する物質としては、タンパク質を含む物質が用いられる。タンパク質は加熱によって固化する代表例である。具体例としては、魚のすり身、グルテン、乳清タンパク質などが用いられる。また畜肉や魚肉にトランスグルタミナーゼを添加することにより弾力性のあるゲルを得ることが出来る。市販品では味の素株式会社の商品名「アクティバ」を澱粉などと水ときして魚肉などに加え混合し、適宜摂餌成分を加えて充填し、最後に、温水や電子レンジ等で加熱処理する。
【００４６】
これら加熱により固化する物質に、魚の好む摂餌成分を含有させて、流動性を持たせた物質が釣り餌素材であるが、魚の好む摂餌成分としては、オキアミ、エビ、カニ、アサリ、ホタテ、イワシ、カツオ、マグロ、イカ、ウニ等の魚介類や、サナギや、その他の動物の肉や内臓等、の動物性の釣り餌材料をすり潰したり、乾燥粉末としたもの、あるいは、これから取り出したエキス、油、または核酸、アミノ酸等、さらには、これらの混合物等を用いることができる。もちろん、合成によって得られた物質でもよく、要は、魚にとって餌として好まれる成分が含有されていればよく、各種アミノ酸混合物、動物エキスならびにその酵素分解品、酵母エキス等を用いることができる。なお、すり身の場合は、魚の好む成分が含有されているので、特に魚の好む成分を含有させなくてもよいが、他の魚の好む成分を含有させてもよい。なお、すり身の場合は、カルシウムなど二価のイオンを多く含む摂餌物質を過剰に添加するとゲルの形成が阻害され、固化を妨げるため、注意が必要である。またグルコマンナンの場合はアルカリ処理の際にｐＨを下げる摂餌物質を過剰に添加するとゲルの形成が阻害され、固化を妨げるため、注意が必要である。
【００４７】
加熱冷却で固化させる場合、冷却前に充填しておく必要があるため火傷に注意さえすれば、家庭用の鍋などの調理器具で簡単に調整できるためユーザーにとっては最も利用しやすいゲルである。これらの物質は水に膨潤、または分散させた後、加熱溶解し、充填後冷却することによりゲル化、成型品を得ることができる。加熱冷却で固化する物質は、例えば、カラギーナン、寒天、ゼラチン、澱粉などがある。これらの物質は加熱された状態において流動性を有し、冷却により固化する。この物質においても、加熱溶解後に上述した魚の好む摂餌成分を含有させ充填することにより、成型用の釣り餌素材として用いることができる。
【００４８】
複数の物質の反応で固化する物質としては、キサンタンガムとローカストビーンガムがその一例である。双方を別々に一定の濃度になるように水溶液を作り、それらを複合させた後、加熱溶解。充填後に冷却するとゲル化する。双方の水溶液を複合させ充填後に電子レンジなどを用いて加熱溶解させ、その後冷却して固化させてもよい。摂餌成分の混合は複合の際、あるいは加熱溶解させた時点で充填の直前に行うのが良い。第２の例は、アルギン酸と塩化カルシウムである。アルギン酸溶液に魚の好む摂餌成分を混合しておき、塩化カルシウム溶液を添加し混合したら速やかに充填を完了させることによりゲル化する。第３の例はアクリルモノマーとアクリルナトリウムを水に溶解させその混合物にメチレンビスアクリルアミドを加え、重合開始剤として過硫酸アンモニウムを添加、混合した後に充填する。摂餌成分は細かく砕いた固形物を重合開始剤添加直前に分散させておくとよい。この他にはカリミョウバンの水溶液を作り、ＣＭＣ（カルボキシメチルセルロース）をエタノールに均等に分散させたものを攪拌しながらカリミョウバンの水溶液に混合し、充填する。摂餌成分はＣＭＣとエタノールを混合させた物を加えた直後に速やかに追加し素早く充填を完了させる。
【００４９】
本発明は、このように、流動性を有し、固化が可能な物質を用いて、容器の注入口から成形空間に注入した後、固化をさせて、動物性生餌を模した形状の釣り用人工餌を製造することができるのであるが、この釣り用人工餌をユーザーに提供するには、容器から取り出したものを、適宜の容器に納めたり、包装を施して製品とすることができる。
【００５０】
また、容器から取り出さずに、成形したままの状態で、販売するなどによってユーザーに提供することもできる。ユーザーは、釣り場で上部成形部材と下部成形部材とを開けて釣り用人工餌を用いて釣りをすることができる。このようにすると、釣り用人工餌の携帯や保存が容易である。
【００５１】
本発明の容器に上述したような固化する物質を注入して、ユーザーが自分で釣り用人工餌を作製することができ、空になった容器をゴミとして捨てることを防止できる。ユーザーは、好みの成分を添加して釣り用人工餌を作成することもできる楽しみや工夫がある。
【００５２】
注入器は、容器の注入口に挿入できるノズル部分と収容されている釣り餌素材をノズル部分から押し出すことができる容器であれば、いかなる形状、構造のものでもよい。
【００５３】
図１４に注入器の例を示す。１６ａは加圧部、１６ｂはノズル部分である。図１４（Ａ）は、シリンジである。医療用の使い捨ての注射器をそのまま用いてもよく、同様の構造のものを別途に作製してこれを用いてもよい。この注入器が用いられる容器は、注入口（図１の「３」）がノズル部分１６ｂの外径に適合するように設計されるのがよい。
【００５４】
図１４（Ｂ）は、ヘラブナ釣りの餌の作製に用いられるおかゆポンプである。構造は、原理的にはシリンジと同じであり、これを注入器として用いる場合の容器は、注入口（図１の「３」）がノズル部分１６ｂの外径に適合するように設計されるのがよい。
【００５５】
図１４（Ｃ）は、軟質の樹脂の容器であり、マヨネーズの押出容器と同様の形状としてもよい。ノズル部分は、容器の注入口（図１の「３」）の内径に適合するノズルであればよい。市販の生クリーム充填用のノズルを用いてもよく、その場合は、容器の注入口（図１の「３」）がノズル部分１６ｂの外径に適合するように設計されるのがよい。
【００５６】
本発明において、釣り餌素材が流動性を有しているものであることは上述したが、この流動性は、容器への充填の際に流動性を有しているものである。すなわち、容器の開口部から注入可能な流動性を有していればよく、硬度のある混入物が混合されていても、ノズルの内径よりも小さいものであれば注入、充填により一定の形状を保つことが可能となる。したがって、硬度のある混入物が混合されていても、注入可能な流動性があればよいものである。
【００５７】
釣り餌素材は、容器に充填する時点で流動性を有していればよいのであるから、保管や流通に際しては、粉体であっても、液体であっても、あるいは、粉体と液体のセットでもよい。また、混合させると反応を起こすような成分を有するものでは、それぞれを別の包装として、流通させても構わない。例えば、集魚剤とともに、澱粉やカラギーナン、アルギン酸などは、一定の重量を小袋に充填したものを、セットにしてもよい。一方、塩化カルシウムのような、液化させても安定性の高い材料は、点眼溶液を充填するような小型の容器に封入しておけば、混合の際に分量を把握するのに便利である。また、必要に応じて、小型の計量カップや、計量さじなどもセットに加えておけば、釣り餌の作製の際、計量ミスを減少させることができる。
【符号の説明】
【００５８】
１…容器、１ａ…上部成形部材、１ｂ…下部成形部材、２…成形空間、２ａ…溝、２ｂ…対面部、２ｃ…連結部、２ｄ…間隙部、３…注入口、４…排気孔、５…密着部、５ａ，５ｂ…密着領域、６…接着部、７…溶着部、８…シュリンク包装、９…ゴムバンド、１０…クリップ、１１…収納容器、１１ａ…上部壁、１１ｂ…下部壁、１１ｃ，１１ｄ…側壁、１１ｅ…正面、１１ｆ…背面、１１ｇ…上部押圧片、１１ｈ…下部押圧片。
【図１】
2011234667.tif 000003
【図２】
2011234667.tif 000004
【図３】
2011234667.tif 000005
【図４】
2011234667.tif 000006
【図５】
2011234667.tif 000007
【図６】
2011234667.tif 000008
【図７】
2011234667.tif 000009
【図８】
2011234667.tif 000010
【図９】
2011234667.tif 000011
【図１０】
2011234667.tif 000012
【図１１】
2011234667.tif 000013
【図１２】
2011234667.tif 000014
【図１３】
2011234667.tif 000015
【図１４】
2011234667.tif 000016